(57)【要約】【課題】仮設容器や余分の設備およびスペースを必要としないＬＰＧ仮供給装置を提供する。【解決手段】バルク貯槽１０の均圧弁１５にバイパス接続アダプタ１６ａを設け、上記バルク貯槽１０からのガス取出し弁１２と調整器１４ａ，１４ｂを経て延びるガス消費管路１８にバルブ１７ｂ備えた分岐継ぎ手１９を介在設置し、上記バイパス接続アダプタ１６ａと上記分岐継ぎ手１９との間を、調整器１４ｃを介して高圧ホース２０で繋いでなり、調整器側はＰＯＬ継ぎ手とし、上記分岐継ぎ手１９と高圧ホース２０との継ぎ手を迅速継ぎ手２１としたものである。【選択図】図１
2007132460.tif 000002
【特許請求の範囲】
【請求項１】
バルク貯槽（１０）の均圧弁（１５）にバイパス接続アダプタ（１６ａ）を付設し、上記バルク貯槽（１０）からのガス取出し弁（１２）と調整器（１４）を経て延びるガス消費管路（１８）にバルブ（１７ｂ）を備えた分岐継ぎ手（１９）を介在設置し、上記バイパス接続アダプタ（１６ａ）と上記分岐継ぎ手（１９）との間を、調整器（１４ｃ）を介してバイパス管路（２０）で繋いでなるＬＰＧ仮供給装置。
【請求項２】
上記分岐継ぎ手（１９）とバイパス管路（２０）との継ぎ手を迅速継ぎ手（２１）とし、その迅速継ぎ手（２１）のレバーに安全チェン（２２）を付設してなる請求項１に記載のＬＰＧ仮供給装置。
【請求項３】
上記バイパス管路（２０）には高圧ホースを採用し、その高圧ホースのバイパス接続アダプタ（１６ａ）側および調整器側（１４ｃ）はＰＯＬ継ぎ手としてなる請求項１又は２に記載のＬＰＧ仮供給装置。
【発明の詳細な説明】
【技術分野】
【０００１】
この発明は、バルク貯槽から圧力調整機器を介してガス消費管路にＬＰＧを供給するＬＰＧ供給システムにおけるＬＰＧ仮供給装置に関する。
【背景技術】
【０００２】
これまでＬＰＧを充填したボンベからガス消費管路にＬＰＧを供給するシステムが主流であったが、今日ではバルク貯槽から圧力調整機器を介してガス消費管路にＬＰＧを供給するシステムに替えようとする傾向が強くなっている。
【０００３】
こうしたバルクからＬＰＧを供給するシステムでは、ＬＰＧを大量に蓄留しているため定期的に検査をする必要があり、例えば圧力調整機器は７年に１回取り替える必要があるが、そのためにガス消費管路のガス供給を長時間止めることは消費者に迷惑をかけることとなるので特許文献１のような提案がなされている。
【０００４】
【特許文献１】特開２００２−２５７２９８号公報（要約および選択図面）
【０００５】
上記特許文献１に係る先行技術は、「ガス貯槽２０のガスを、配管機器２４，１０を介して消費機器へ供給する既設のガス供給設備に設けられるガス仮設供給装置は、仮設容器１と仮設供給配管３６とバイパス配管３４と配管切替装置９とを備える。仮設容器１にガスが充填される。仮設供給配管３６は、仮設容器１のガスを消費機器へ供給可能に形成される。バイパス配管３４は、ガス貯槽２０のガスを、配管機器２４，１０を迂回させて消費機器へ供給可能に形成される。配管切替装置９は、仮設供給配管３６又はバイパス配管３４を流れるガスを選択的に消費機器へ供給可能に設けられる。」（符号は特許文献の通りにした）ようにしたものである。
【発明の開示】
【発明が解決しようとする課題】
【０００６】
上記先行技術は、一目で分かるように仮設容器が必要で、そのために余分の設備とスペースを必要とする。上記状況に鑑みこの発明は、仮設容器や余分の設備およびスペースを必要としないＬＰＧ仮供給装置を提供しようとするものである。
【課題を解決するための手段】
【０００７】
上記課題を解決するためにこの発明は、バルク貯槽１０の均圧弁１５にバイパス接続アダプタ１６ａを設け、上記バルク貯槽１０からのガス取出し弁１２と調整器１４を経て延びるガス消費管路１８にバルブ１７ｂを備えた分岐継ぎ手１９を介在設置し、上記バイパス接続アダプタ１６ａと上記分岐継ぎ手１９との間を、調整器１４ｃを介してバイパス管路２０で繋いでなり、上記バイパス管路２０には高圧ホースを採用し、その高圧ホースのバイパス接続アダプタ１６ａ側および調整器１４ｃ側はＰＯＬ（片側の接続マウントと他方の接続マウントとが袋ナットネジ込み作用により互いに押しつけられ気密接続される。以下、同じ）継ぎ手としてなり、上記分岐継ぎ手１９とバイパス管路２０との継ぎ手を迅速継ぎ手（レバーを起こすと、その作用点に設けられた押圧片を介してシールリングが押し出され、接続マウントに押しつけられて気密接続される。以下、同じ）２１とし、その迅速継ぎ手２１のレバーに安全チェン２２を付設したものである。
【発明の効果】
【０００８】
上記の如く構成するこの発明によれば、仮供給容器を必要としないので設備費とスペースの節約をすることができる。
【発明を実施するための最良の形態】
【０００９】
次に図面を参照しながら本発明に係る実施例を説明する。バルク貯槽１０の操作盤１１にはガス取出し弁１２、圧力計（３．５ＭＰａ）１３ａ、調整器１４ａ，１４ｂが設けられ、また、ＬＰＧローリーによって搬送されてきたＬＰＧを受け入れる時に使用する均圧弁１５が設けられている。
【００１０】
上記調整器１４ａ，１４ｂからはバルブ１７ａを介してガス消費管路１８が延び、バルク貯槽１０の近いところでバルブ１７ｂを備えた分岐継ぎ手１９を介在設置し、上記均圧弁１５にはバイパス接続アダプタ１６ａが設けられ、このバイパス接続アダプタ１６ａから、他端に調整器１４ｃを備えた高圧ホース２０が着脱自在に延び、前記ガス消費管路１８に介在設置した分岐継ぎ手１９に圧力計（１０ｋＰａ）１３ｂを介して繋ぐことができるようになっている。
【００１１】
なお、バルブ１７ｂを備えた分岐継ぎ手１９との接続には迅速継ぎ手２１を採用し迅速に接続できるようになっている。
【００１２】
次にこの発明に係るＬＰＧ仮供給装置の取り扱いについて説明する。調整器の取替え作業に先立って、バルク貯槽１０の均圧弁１５が閉じているか否かを確認する。
【００１３】
均圧弁１５の開口部に被せているキャップ（図示せず）を外し、バイパス接続アダプタ１６ａを取り付ける。このとき、均圧弁１５側が共回りしないようにスパナを当てながら取り付ける。
【００１４】
分岐継ぎ手１９のバルブ１７ｂが閉じているかを確認し、バルブ１７ｂの開口のキャップを外し、これに迅速継ぎ手２１のアダプタ２１ａをねじ込み、迅速継ぎ手２１を介して調整器１４ｃを取り付ける。
【００１５】
上記、バイパス接続アダプタ１６ａと調整器１４ｃ側のバイパス接続アダプタ１６ｂ間に高圧ホース２０をわたしてＰＯＬ継ぎ手を構成してバイパスとし、均圧弁１５を開き、バルブ１７ｂを開いてガス消費ラインのガスの流通を確保した上でガス取出し弁１２およびバルブ１７ａを閉じ、調整器１４ａ，１４ｂを取り替える。
【産業上の利用可能性】
【００１６】
以上説明した通り、この発明によればバルク貯槽の調整器の取替えに際し、仮容器を用意する必要がなく、余分の設備、余分のスペースが不要になって経済的効果が大である。
【図面の簡単な説明】
【００１７】
【図１】本発明に係るＬＰＧ仮供給装置の（ａ）正面図、（ｂ）部分拡大図
【図２】同操作説明図で、（ａ）バルク貯槽部分、（ｂ）均圧弁部分、（ｃ）迅速継ぎ手部分を示す。
【符号の説明】
【００１８】
１０  バルク貯槽
１１  操作盤
１２  ガス取出し弁
１３ａ，１３ｂ  圧力計
１４ａ，１４ｂ，１４ｃ  調整器
１５  均圧弁
１６ａ，１６ｂ  バイパス接続アダプタ
１７ａ，１７ｂ  バルブ
１８  ガス消費管路
１９  分岐継ぎ手
２０  高圧ホース
２１  迅速継ぎ手
２２  安全チェン
【図１】
2007132460.tif 000003
【図２】
2007132460.tif 000004